(57)【要約】【課題】ガスを包蔵したガスハイドレート貨物の気密を保持して搬送する。【解決手段】ガスハイドレート輸送船である。船長方向に配した船倉２上に移動ハウス４を設ける。移動ハウスは、リクレーマ９と、該リクレーマを設けた横行台車１０と、該横行台車を船長方向に運ぶ走行台車２０を有し、該走行台車は、横手方向の第１払出しコンベヤ２１と、第２受入れコンベヤ３２とを有する。前記移動ハウスは、第１払出しコンベヤ２１の直下に船長方向の第２払出しコンベヤ２３等の払出しコンベヤを有する。前記第２受入れコンベヤ３２は、その上方に第１受入れコンベヤ３４を有する。更に、第１受入れコンベヤ３４上のガスハイドレートを払出す第１スクレーパ４１と、第２受入れコンベヤ上のガスハイドレートを払出す第２スクレーパ４２とを有する。【選択図】        図２
2005255014.tif 000002
【特許請求の範囲】
【請求項１】
粉体状、或いはペレット状のガスハイドレートを輸送するガスハイドレート輸送船であって、
（ａ）該輸送船の船長方向に並べられた複数の船倉を有すると共に、該船倉の上方に船長方向に移動可能な箱型の移動ハウスを備え、
（ｂ）該移動ハウスは、荷役用のリクレーマーを内蔵すると共に、該リクレーマーを船倉の横手方向に移動させる横行台車に設け、且つ、該横行台車を船長方向に移動させる走行台車に搭載し、
（ｃ）該走行台車は、リクレーマーの上端部直下に船倉の横手方向に設けられた第１払出しコンベヤを有すると共に、その真上に同方向の第２受入れコンベヤを備え、
（ｄ）前記移動ハウスは、前記第１払出しコンベヤの直下に位置して船首方向に設けられた第２払出しコンベヤを有すると共に、該第２払出しコンベヤの先端部直下に第３払出しコンベヤを設け、更に、該第３払出しコンベヤの先端部直下に払出しブームコンベヤを設け、
（ｅ）前記第２受入れコンベヤの上方に第１受入れコンベヤを設け、更に、
（ｆ）前記第１受入れコンベヤ上のガスハイドレートをその直下に位置する第２受入れコンベヤに送出する第１スクレーパと、前記第２受入れコンベヤ上のガスハイドレートを前記リクレーマーに送出する第２スクレーパとを有するガスハイドレート輸送船。
【請求項２】
移動ハウスの全周にわたってシール材を設け、該シール材によって移動ハウスと船体との隙間を密封する請求項１記載のガスハイドレート輸送船。
【発明の詳細な説明】
【技術分野】
【０００１】
本発明は、粉体状、或いは粒状（ペレット状）のガスハイドレートを輸送するガスハイドレート輸送船に関するものである。
【背景技術】
【０００２】
従来、石炭、セメント、鉱石などのばら積貨物を払い出す装置であるトップリクレーマー型のセルフアンローダーを移動式ハウスに設置したばら積貨物船が知られている（例えば、非特許文献１参照。）。
【０００３】
このばら積貨物船は、連続バケット式のトップリクレーマーを移動ハウス内のガントリーに搭載し、船長方向へ移動できるように構成されている。更に、上記のセルフアンローダー以外に、搬送用のコンベヤが船長方向および横断方向に設置されていると共に、ブームコンベヤが設置され、貨物を連続的に払い出すように構成されている。
【０００４】
その上、二重船側および二重底による二重構造で骨の張り出しが無い船倉とし、更に、貨物が自重で滑り落ちるように、ホッパーの傾斜を大きくしている（ホッパーの傾斜角：約５５度。）。
【非特許文献１】和泉貴之、”セルフアンローダー船「ＢＡＬＤＥＲ」”、［online] 、平成１６年１月３０日発行、西部造船会、［平成１６年２月３日検索］、インターネット＜ＵＲＬ：http://www.wjsna.jp/mm/007/article02.html ＞
【発明の開示】
【発明が解決しようとする課題】
【０００５】
しかしながら、上記のばら積貨物船は、船倉と陸上を繋ぐコンベヤが、アンローダー〜ロンジコンベヤ（右舷）〜傾斜コンベヤ（船尾）〜ブームコンベヤ（左舷）というように、船楼をぐるりと取り囲んでいるので、貨物搬送用のコンベヤの数が多いばかりでなく、コンベヤの配置が複雑であるという問題がある。その上、これらのコンベヤは、揚荷作業のみに適用し、積荷作業には、適用されていない。
【０００６】
その上、上記のばら積貨物船は、石炭、セメント、鉱石などのばら積貨物の輸送には、問題が無いかも知れないが、篭状の構造を有する氷（水分子）内に天然ガスの分子が取り込まれている所謂ガスハイドレート（ＮＧＨ）を輸送する場合には、コンベヤなどの搬送装置、移動ハウスおよび船倉などの気密および防熱システムが必要となる。
【０００７】
その上、ガスハイドレートは、互いに固着する場合もあり、固着性を考慮したリクレーマーや搬送装置とする必要がある。
【０００８】
本発明は、このような知見に基づいてなされたものであり、第１の目的は、ガスを包蔵したガスハイドレート貨物を気密を保持して搬送可能にすること、第２の目的は、船上に配置する搬送装置を簡略化するための搬送システムを構築すること、第３の目的は、揚荷のほか、積荷作業にも対応可能な装置とすることにある。
【課題を解決するための手段】
【０００９】
上記の課題を達成するため、本発明は、次のように構成されている。
【００１０】
即ち、請求項１に記載の発明は、粉体状、或いはペレット状のガスハイドレートを輸送するガスハイドレート輸送船であって、（ａ）該輸送船の船長方向に並べられた複数の船倉を有すると共に、該船倉の上方に船長方向に移動可能な箱型の移動ハウスを備え、（ｂ）該移動ハウスは、荷役用のリクレーマーを内蔵すると共に、該リクレーマーを船倉の横手方向に移動させる横行台車に設け、且つ、該横行台車を船長方向に移動させる走行台車に搭載し、（ｃ）該走行台車は、リクレーマーの上端部直下に船倉の横手方向に設けられた第１払出しコンベヤを有すると共に、その真上に同方向の第２受入れコンベヤを備え、（ｄ）前記移動ハウスは、前記第１払出しコンベヤの直下に位置して船首方向に設けられた第２払出しコンベヤを有すると共に、該第２払出しコンベヤの先端部直下に第３払出しコンベヤを設け、更に、該第３払出しコンベヤの先端部直下に払出しブームコンベヤを設け、（ｅ）前記第２受入れコンベヤの上方に第１受入れコンベヤを設け、更に、（ｆ）前記第１受入れコンベヤ上のガスハイドレートをその直下に位置する第２受入れコンベヤに送出する第１スクレーパと、前記第２受入れコンベヤ上のガスハイドレートを前記リクレーマーに送出する第２スクレーパとを有するガスハイドレート輸送船である。
【００１１】
請求項２に記載の発明は、移動ハウスの全周にわたってシール材を設け、該シール材によって移動ハウスと船体との隙間を密封する請求項１記載のガスハイドレート輸送船である。
【発明の効果】
【００１２】
上記のように、請求項１に記載のガスハイドレート輸送船は、粉体状、或いはペレット状のガスハイドレートを輸送するガスハイドレート輸送船であって、（ａ）該輸送船の船長方向に並べられた複数の船倉を有すると共に、該船倉の上方に船長方向に移動可能な箱型の移動ハウスを備え、（ｂ）該移動ハウスは、荷役用のリクレーマーを内蔵すると共に、該リクレーマーを船倉の横手方向に移動させる横行台車に設け、且つ、該横行台車を船長方向に移動させる走行台車に搭載し、（ｃ）該走行台車は、リクレーマーの上端部直下に船倉の横手方向に設けられた第１払出しコンベヤを有すると共に、その真上に同方向の第２受入れコンベヤを備え、（ｄ）前記移動ハウスは、前記第１払出しコンベヤの直下に位置して船首方向に設けられた第２払出しコンベヤを有すると共に、該第２払出しコンベヤの先端部直下に第３払出しコンベヤを設け、更に、該第３払出しコンベヤの先端部直下に払出しブームコンベヤを設け、（ｅ）前記第２受入れコンベヤの上方に第１受入れコンベヤを設け、更に、（ｆ）前記第１受入れコンベヤ上のガスハイドレートをその直下に位置する第２受入れコンベヤに送出する第１スクレーパと、前記第２受入れコンベヤ上のガスハイドレートを前記リクレーマーに送出する第２スクレーパとを有するため、次のような優れた効果を発揮することができる。
【００１３】
すなわち、船長方向に移動できる移動ハウスを採用することにより、船倉毎に密閉状態でガスハイドレートを荷役することができる。
【００１４】
従って、ガスハイドレートの一部が分解して船倉内に天然ガスが溜まった場合でも、天然ガスを外部に漏らすことなく、安全に荷役することができる。
【００１５】
また、移動ハウス内に、リクレーマーやコンベヤなどの全ての搬送装置を収容したので、外部との気密保持がし易くなり、移動ハウスと船体との隙間を密閉するシール材の取付け構造などが容易になる。
【００１６】
また、コンベヤなど搬送装置の数量を削減することによって全ての搬送装置を移動ハウス内に設置することができたため、ガスハイドレートの荷役作業の効率化を図ることができた。
【００１７】
更に、ガスハイドレートの揚荷および積荷の両方の作業に対応できるようにしたため、一部の装置を両方の作業に使用することができ、その分、部品点数を削減することができる。
【００１８】
請求項２に記載の発明は、移動ハウスの全周にわたってシール材を設け、該シール材によって移動ハウスと船体との隙間を密封するため、船倉毎に密閉状態でガスハイドレートを荷役することができる。
【発明を実施するための最良の形態】
【００１９】
以下、本発明の実施の形態を図面を用いて説明する。
【００２０】
なお、この実施の形態では、輸送する貨物として、粉粒状のガスハイドレートを所定の形状及び大きさに成型したペレット状のガスハイドレート（以下、ガスハイドレートペレットと称する。）を例に取る。
【００２１】
図１において、１は、本発明に係るガスハイドレート輸送船であり、船長方向に複数の船倉２を備えている。これらの船倉２の倉口（ハッチ）は、通常、ハッチカバー３によってそれぞれ密閉されている。
【００２２】
このガスハイドレート輸送船１は、箱型に形成された無底の移動ハウス４を備えている。この移動ハウス４は、船体５上に敷設した一対のレール７に沿って船長方向に移動できるようになっている。
【００２３】
この移動ハウス４は、倉口（ハッチ）より大きくても小さくても不都合があり、一つの倉口を覆い隠すことができる必要最小限の大きさを有することが必要である。また、この移動ハウス４は、図２に示すように、その下面の全周にわたって弾力性を有するシール材８を備え、移動ハウス４と船体５との隙間を密閉するようになっている。
【００２４】
上記移動ハウス４は、リクレーマー９を内蔵している。このリクレーマー９は、図２に示すように、移動ハウス４内の横行台車１０に設けられている。この横行台車１０は、更に、走行台車２０の上に搭載されている。
【００２５】
リクレーマー９を持った横行台車１０は、図３に示すように、走行台車２０に敷設した一対のレール１１に沿って船倉２を横切るように横行する。その横行範囲は、実線で示す位置と２点鎖線で示す位置との間となっている。
【００２６】
他方、リクレーマー９及び横行台車１０を乗せた走行台車２０は、図４に示すように、移動ハウス４内に設けた一対のレール１２に沿って船長方向に移動する。その走行範囲は、実線で示す位置と２点鎖線で示す位置との間となっている。
【００２７】
上記リクレーマー９は、図４に示すように、その上端部が横行台車１０に揺動可能に取り付けられている。その作業角度θは、横行台車１０に設けた流圧シリンダ１３によって制御するようになっている。しかし、荷役作業休止時や移動ハウス４の移動時には、移動ハウス４内に水平に保持されている。リクレーマー９は、船長方向に向けて設けられていることは言う迄もない。
【００２８】
このリクレーマー９は、駆動軸１４と従動軸１５との間を回動するセルフアンローダー１６を備えている。このセルフアンローダー１６は、図示しない無端体に多数の横機１７を取り付けたものである。更に、このリクレーマー９は、その自由端の左右両側に貨物であるガスハイドレートペレットをかき寄せるためのスクリュー１８をそれぞれ備えている（図３参照。）。
【００２９】
上記走行台車２０は、図４に示すように、リクレーマー９の上端部の直下に第１払出しコンベヤ２１を備えると共に、その真上に第２受入れコンベヤ３２を備えている。これらのコンベヤ２１及び３２は、図３に示すように、船倉２を横断する方向に水平に設けられている。
【００３０】
上記移動ハウス４は、図３に示すように、第１払出しコンベヤ２１の出口部２２の直下に位置して第２払出しコンベヤ２３を設けている。この第２払出しコンベヤ２３は、船長方向に向けて水平に設けられている。そして、図４に示すように、第２払出しコンベヤ２３の先端部の直下に第３払出しコンベヤ２５を設けている。
【００３１】
この第３払出しコンベヤ２５は、尻上がりに設けられている。更に、この第３払出しコンベヤ２５の先端部の直下に払出しブームコンベヤ２７を設けている。この払出しブームコンベヤ２７は、移動ハウス４の前面（左舷側）に設けた筒型の払出しブーム２８の中に収められている（図１参照。）。この払出しブーム２８は、船体５の左右両側に振ることができるようになっている。
【００３２】
ここで、第３払出しコンベヤ２５および払出しブームコンベヤ２７は、トラフ型ベルトコンベヤでも良いが、図５に示すように、「フレクスベルコンベヤベルト（商標名）」を用いることが望ましい。この「フレクスベルコンベヤベルト」は、平ベルト２９の両側に波形をした耳棧３０と、横棧３１を取り付けたベルトであり、一般に、傾斜角５０〜７５°程度まで使用できる。
【００３３】
上記第２受入れコンベヤ３２の真上には、図４に示すように、第１受入れコンベヤ３４が設けられている。この第１受入れコンベヤ３４は、移動ハウス４の上部に設けた細長い箱体３６内に収納されている。この箱体３６は、船長方向に設けられ、その後端部に貨物受入れホッパー３７が設けられている。
【００３４】
ところで、この実施形態では、図６に示すように、第１受入れコンベヤ３４上のガスハイドレートペレットＰをその直下に位置する第２受入れコンベヤ３２上に送出する第１スクレーパ４１と、第２受入れコンベヤ３２上のガスハイドレートペレットＰをリクレーマー９に送出する第２スクレーパ４２とを使用している。
【００３５】
第１及び第２スクレーパ４１，４２は、実質的に同構造であるから、第１スクレーパ４１について説明する。
【００３６】
この第１スクレーパ４１は、図８に示すように、第１受入れコンベヤ３４上のガスハイドレートペレットＰを横手方向に払い出すため、第１受入れコンベヤ３４の長手方向に対して斜めに設けた払出し板４３と、この払出し板４３によって払い出されたガスハイドレートペレットＰを第２受入れコンベヤ３２上に誘導するシューター４４により構成されている。
【００３７】
上記払出し板４３及びシューター４４は、図７に示すように、第１受入れコンベヤ３４の貨物搭載部位の下に潜らせた台車４６に取り付けられている。払出し板４３は、台車４６の非払出し側に取り付けられ、シューター４４は、台車４６の払出し側に取り付けられている。そして、第２受入れコンベヤ３２を持っている走行台車１０と同期して第１受入れコンベヤ３４の長手方向に移動するようになっている（図８参照。）。
【００３８】
他方、第２スクレーパ４２は、第１スクレーパ４１と同構造であるが、上述したように、第２受入れコンベヤ３２に対して設置し、リクレーマー９を持っている横行台車１０と同期して第２受入れコンベヤ３２の長手方向に移動するようになっている（図９参照。）。
【００３９】
上記のハイドレート輸送船の船倉２は、図２に示すように、その内側を、例えば、ポリウレタンなどの防熱材４７によって被覆し、外熱の浸入を防ぐようになっている。
【００４０】
続いて、貨物であるガスハイドレートペレットの揚荷作業および積荷作業について説明する。
（ａ）ガスハイドレートペレットの揚荷作業について
ガスハイドレート輸送船１によって輸送したガスハイドレートペレットＰを陸上の図示しない貯蔵タンクに荷揚げする場合には、図１０に示すように、横行台車（図示せず）に設けたリクレーマー９を稼働させ、船倉２内に収容されているガスハイドレートペレットＰを連続した多数のグラブ状の掬取り器（横機）（図示せず）によって連続的に掬い上げる。
【００４１】
リクレーマ９ーによって掬われたガスハイドレートペレットＰは、矢印ａ方向に移送され、リクレーマー９の上端部から横行台車（図示せず）に設けた第１払出しコンベヤ２１上に供給される。
【００４２】
第１払出しコンベヤ２１上のガスハイドレートペレットＰは、第１払出しコンベヤ２１によって船倉２の横手方向（矢印ｂ方向）に移送され、走行台車（図示せず）に設けた第２払出しコンベヤ２３上に供給される。
【００４３】
第２払出しコンベヤ２３上のガスハイドレートペレットＰは、第２払出しコンベヤ２３によって船倉２の船長方向（矢印ｃ方向）に移送された後、第３払出しコンベヤ２５およびブームコンベヤ２７によって矢印ｄ方向に払い出され、陸上の図示しない貯蔵タンクに荷揚げされる。
（ｂ）ガスハイドレートペレットの積荷作業について
図示しない陸上の貯蔵タンクからガスハイドレート輸送船１の船倉２にガスハイドレートペレットＰを積み込む場合には、ガスハイドレートペレットＰを図示しない貯蔵タンクに接続した供給搬送装置を経て移動ハウスの貨物受入れホッパー３７にガスハイドレートペレットＰを供給する（図１１参照。）。
【００４４】
貨物受入れホッパー３７に導入されたガスハイドレートペレットＰは、第１受入れコンベヤ３４によって矢印ａ’方向に移送される。続いて、第１受入れコンベヤ３４上のガスハイドレートペレットＰは、第１受入れコンベヤ３４に配した第１スクレーパ４１によって第２受入れコンベヤ３２上に払い出される。
【００４５】
第２受入れコンベヤ３２上に供給されたガスハイドレートペレットＰは、第２受入れコンベヤ３２によって船倉２の横手方向（矢印ｂ’方向）に移送される。続いて、第２受入れコンベヤ３２上のガスハイドレートペレットＰは、第２受入れコンベヤ３２に配した第２スクレーパ４２によってリクレーマー９の上端部に払い出される。
【００４６】
リクレーマー９に払い出されたガスハイドレートペレットＰは、リクレーマー９によって矢印ｃ’方向に移送され、船倉２内に収納される。
【００４７】
以上の説明では、ペレット状のガスハイドレートを荷役する場合について説明したが、本発明は、粉粒状のガスハイドレートの荷役にも適用することができる。
【図面の簡単な説明】
【００４８】
【図１】本発明に係るガスハイドレート輸送船の一部断面を含む斜視図である。
【図２】上記ガスハイドレート輸送船の要部拡大斜視図である。
【図３】荷役装置の正面図である。
【図４】荷役装置の側面図である。
【図５】フレクスベルコンベヤの斜視図である。
【図６】荷役装置の斜視図である。
【図７】第１スクレーパの正面図である。
【図８】第１スクレーパの平面図である。
【図９】第２スクレーパの正面図である。
【図１０】揚荷作業の説明図である。
【図１１】積荷作業の説明図である。
【符号の説明】
【００４９】
Ｐ  ガスハイドレートペレット        １  ガスハイドレート輸送船
２  船倉                            ４  移動ハウス
９  リクレーマー                  １０  横行台車
２０  走行台車                      ２１  第１払出しコンベヤ
２３  第２払出しコンベヤ            ２５  第３払出しコンベヤ
２７  払出しブームコンベヤ          ３２  第２受入れコンベヤ
３４  第１受入れコンベヤ            ４１  第１スクレーパ
４２  第２スクレーパ
【図１】
2005255014.tif 000003
【図２】
2005255014.tif 000004
【図３】
2005255014.tif 000005
【図４】
2005255014.tif 000006
【図５】
2005255014.tif 000007
【図６】
2005255014.tif 000008
【図７】
2005255014.tif 000009
【図８】
2005255014.tif 000010
【図９】
2005255014.tif 000011
【図１０】
2005255014.tif 000012
【図１１】
2005255014.tif 000013